(57)【要約】【課題】複数の需要場所それぞれに供給される上水の上水供給量を計量器から収集し、収集した上水供給量を管理するための上水供給量管理システムを提供すること。【解決手段】複数の上水需要場所それぞれに供給される上水の上水供給量を管理するための上水供給量管理システム１は複数の上水需要場所それぞれに上水を供給する複数の配管それぞれに備えられる計量器１０と、計量器１０と通信を行うサーバ装置２０と、を備える。計量器１０は、備え付けられている配管により上水需要場所へ供給される上水供給量を計量する計量部１１と、計量された上水供給量をサーバ装置２０へ送信する送信部１２とを備える。サーバ装置２０は、計量器１０から上水供給量を受信する受信部２１と、受信した上水供給量を記憶する記憶部２２と、記憶部２２に記憶されている上水供給量に基づいて、上水供給量に関する帳票を作成する帳票作成部２４と、を備える。【選択図】図１
2010244355.tif 000002
【特許請求の範囲】
【請求項１】
複数の上水需要場所それぞれに供給される上水の上水供給量を管理するための上水供給量管理システムであって、
前記上水供給量管理システムは、前記複数の上水需要場所それぞれに上水を供給する複数の配管それぞれに備えられる計量器と前記計量器と通信を行うサーバ装置を備え、
前記計量器は、
前記計量器が備え付けられている配管により上水需要場所へ供給される上水供給量を計量する計量部と、
前記計量部にて計量された上水供給量を前記サーバ装置へ送信する送信部と、を備え、
前記サーバ装置は、
前記計量器から上水供給量を受信する受信部と、
前記受信部にて受信した上水供給量を記憶する記憶部と、
前記記憶部に記憶されている上水供給量に基づいて、上水供給量に関する帳票を作成する帳票作成部と、
を備える上水供給量管理システム。
【請求項２】
前記サーバ装置は、更に、前記記憶部に記憶されている上水供給量に基づいて、上水使用料金を計算する料金計算部を備え、
前記帳票作成部は、前記料金計算部にて算出された上水使用料金に基づいて、上水使用料金に関する帳票を作成する請求項１に記載の上水供給量管理システム。
【発明の詳細な説明】
【技術分野】
【０００１】
本発明は、複数の上水需要場所それぞれに供給される上水の上水供給量を管理するための上水供給量管理システムに関する。特に、メイン配管から分岐する分岐配管にて供給される上水の上水供給量を管理するための上水供給量管理システムに関する。
【背景技術】
【０００２】
市町村等の水道事業者が管轄しているメイン配管にて、上水需要場所（以下、単に需要場所とする）に上水が提供されている。メイン配管には、それにより供給される上水供給量を計量するメイン計量器が備えられ、計量された上水供給量は、水道事業者が請求する上水使用料金の算定根拠となる。
【０００３】
工場やビル等には大抵複数の需要場所があるが、水道事業者が管轄しているメイン配管は工場やビルに対して用意されているだけであって、複数の需要場所それぞれには用意されていないことがある。その場合、工場やビルの所有者は、メイン配管に接続した分岐配管により複数の需要場所それぞれに上水を分配させている。このとき、複数の需要場所それぞれの上水使用料金を計算するために、分岐配管に計量器を備え、複数の需要場所それぞれ供給される上水供給量を計量する必要がある。ここで、需要場所とは、上水を使用する建物、装置、事業所等である。
【０００４】
図３は、工場における分岐配管および計量器の配置例を示す図である。水道事業者が管轄しているメイン配管１００から分岐配管１１０にて工場内へ上水が引かれている。分岐配管１１０にて工場内に引かれた上水はまず分岐配管１２０、１３０、１４０の３つに分岐される。分岐配管１３０は更に分岐配管１３１、１３２に分岐される。分岐配管１２０、１３０、１４０、１３１、１３２はそれぞれ異なる需要場所に上水を供給する。
【０００５】
分岐配管１１０、分岐配管１３０、分岐配管１４０、分岐配管１３１それぞれに計量器１０−１、１０−２、１０−３、１０−４が設置される。分岐配管１２０に計量器が設置されないのは、分岐配管１１０に備えられた計量器１０−１にて計量された上水供給量から分岐配管１３０、１４０に備えられた計量器１０−２、１０−３にて計量された上水供給量を引くことで求めることができるからである。分岐配管１３２についても同様である。
【０００６】
このように、工場内にて複数の需要場所に分岐配管により上水を供給する場合に、分岐配管それぞれに計量器を備えることにより各需要場所の上水供給量を計量することができる。
【０００７】
通常、上水供給量は分岐配管に備え付けられている計量器を作業員が目視にて確認している。そのため、作業員は計量器が備えられている場所へ行かなければならないが、計量器は通常、地中に埋められている分岐配管に備えつけられているため、作業員は計量器が備えられている場所へはマンホールを通る。その際、マンホールの蓋を開ける必要があるが、マンホールの蓋は重く、上水供給量の確認は身体能力の低いものは作業が行いづらいという問題がある。
【０００８】
また、目視にて確認した上水供給量は事務所等にて作業員がコンピュータ等に入力することで、上水供給量の管理を行っている。しかし、計量値の目視による確認、手作業によりデータ入力は、数値誤りが発生しやすいという問題点がある。
【０００９】
そこで、遠隔操作にて水使用量（上水供給量）等を把握する技術がある（特許文献１）。特許文献１に記載の技術では、コンセントレータを用いて、電気、水道又はガスの使用量を計量するための計量器からの計量値収集や、計量器のプログラム更新を遠隔にて行える方法およびシステムが提案されている。
【先行技術文献】
【特許文献】
【００１０】
【特許文献１】特開２００５−５０７４９号公報
【発明の概要】
【発明が解決しようとする課題】
【００１１】
しかしながら、特許文献１に記載の方法では、計量器からの計量値収集をすることはできるが、コンピュータ等への取り込みによる計量値の管理や計量値に基づいて料金管理等の計量値を用いたデータ処理を行うことができない。
【００１２】
本発明は、複数の需要場所それぞれに供給される上水の上水供給量を計量器から収集し、収集した上水供給量を管理するための上水供給量管理システムを提供することを目的とする。
【課題を解決するための手段】
【００１３】
（１）複数の上水需要場所それぞれに供給される上水の上水供給量を管理するための上水供給量管理システムであって、前記上水供給量管理システムは、前記複数の上水需要場所それぞれに上水を供給する複数の配管それぞれに備えられる計量器と前記計量器と通信を行うサーバ装置を備え、前記計量器は、前記計量器が備え付けられている配管により上水需要場所へ供給される上水供給量を計量する計量部と、前記計量部にて計量された上水供給量を前記サーバ装置へ送信する送信部と、を備え、前記サーバ装置は、前記計量器から上水供給量を受信する受信部と、前記受信部にて受信した上水供給量を記憶する記憶部と、前記記憶部に記憶されている上水供給量に基づいて、上水供給量に関する帳票を作成する帳票作成部と、を備える上水供給量管理システム。
【００１４】
（１）の構成によれば、複数の上水需要場所それぞれに供給される上水の上水供給量を管理するための上水供給量管理システムは複数の上水需要場所それぞれに上水を供給する複数の配管それぞれに備えられる計量器と、計量器と通信を行うサーバ装置と、を備える。計量器は、計量器が備え付けられている配管により上水需要場所へ供給される上水供給量を計量する計量部と、計量部にて計量された上水供給量をサーバ装置へ送信する送信部とを備える。サーバ装置は、計量器から上水供給量を受信する受信部と、受信部にて受信した上水供給量を記憶する記憶部と、記憶部に記憶されている上水供給量に基づいて、上水供給量に関する帳票を作成する帳票作成部と、を備える。
【００１５】
このことにより、自動的にサーバ装置に収集された複数の上水需要場所それぞれに供給される上水の上水供給量を、蓄積すること、および上水供給量に関する帳票を作成することができる。その結果、上水供給量の収集に人手を介さないため、目視による見誤りやデータ入力の手作業によるデータの誤入力を防ぐことができる。また、上水供給量を蓄積することにより、過去の上水供給量と比較して配管に起きている障害を検知することや上水供給量を上水需要場所の管理者等に通知すること等ができる。更に、上水供給量の計量から上水供給量に関する帳票、例えば、上水需要場所毎の上水供給量表の作成までを自動的に行うことができ、業務が効率化される。
【００１６】
（２）前記サーバ装置は、更に、前記記憶部に記憶されている上水供給量に基づいて、上水使用料金を計算する料金計算部を備え、前記帳票作成部は、前記料金計算部にて算出された上水使用料金に基づいて、上水使用料金に関する帳票を作成する（１）に記載の上水供給量管理システム。
【００１７】
（２）の構成によれば、サーバ装置は、料金計算部にて、記憶部に記憶されている上水供給量に基づいて上水使用料金を計算し、計算された上水使用料金に基づいて帳票を作成することにより、上水供給量から上水使用料金を計算することができ、上水使用料金等を記載する請求明細等を作成することができる。その結果、上水供給量の計量から請求明細等の帳票作成までを自動的に行うことができ、業務が効率化される。
【発明の効果】
【００１８】
本発明によれば、複数の需要場所それぞれに供給される上水の上水供給量を計量器から収集し、収集した上水供給量を管理するための上水供給量管理システムを提供することができる。
【図面の簡単な説明】
【００１９】
【図１】本発明の好適な実施形態に係る上水供給量管理システムの機能構成を示す図である。
【図２】本発明の好適な実施形態に係る上水供給量管理処理のフローチャートである。
【図３】工場における分岐配管および計量器の配置例を示す図である。
【発明を実施するための形態】
【００２０】
以下、本発明を実施するための形態について図を参照しながら説明する。なお、これはあくまでも一例であって、本発明の技術的範囲はこれに限られるものではない。
【００２１】
図１は、本発明の好適な実施形態に係る上水供給量管理システム１の機能構成を示す図である。上水供給量管理システム１は、計量器１０とサーバ装置２０とを備え、計量器１０とサーバ装置２０とはネットワーク３０を介して接続されている。ネットワーク３０は、無線、有線を問わず、通信方法については従来の技術を用いる。なお、サーバ装置２０に対し、計量器１０は複数台接続されてもよい。
【００２２】
計量器１０は、図３に例示したように各分岐配管に備え付けられ、分岐配管を通る上水の量（上水供給量）を計量し、上水供給量をサーバ装置２０へ送信する。上水供給量を計量することで、分岐配管にて上水が供給されている需要場所の水使用量を計量することができる。計量器１０は、計量部１１と、送信部１２と、を備える。
【００２３】
計量部１１は、ある一定期間、計量器１０が備え付けられている分岐配管を通る上水の量（上水供給量）を計量する。ある一定期間とは、例えば、サーバ装置２０に送信するための上水供給量を計量した後から、再度サーバ装置２０に送信するための上水供給量を計量するまでの期間をいう。ある一定期間には、例えば、１時間、１日、１カ月等がある。
【００２４】
上水供給量を計量する時刻や日にちを、予め、タイマー等に設定しておき、設定した時刻等になると自動的にそれまでの上水供給量を計量するようにしてもよい。また、サーバ装置２０からの要求に応じて、上水供給量を計量してもよい。
【００２５】
送信部１２は、計量部１１にて上水供給量が計量されたことに応じて、計量された上水供給量をサーバ装置２０へ送信する。このとき、計量器１０が備えられている分岐配管により上水が供給されている需要場所を特定する識別子を合わせてサーバ装置２０へ送信する。
【００２６】
サーバ装置２０は、計量器１０から収集した上水供給量の管理を行う。サーバ装置２０は、受信部２１と、記憶部２２と、料金計算部２３と、帳票作成部２４と、を備える。
【００２７】
受信部２１は、計量器１０から上水供給量と識別子とを受信する。
【００２８】
記憶部２２は、上水供給量管理テーブルと上水料金テーブルとを有する。上水供給量管理テーブルは、受信部２１で受信した上水供給量と識別子とを対応付けて記憶する。それにより、計量器毎に上水供給量を管理することができる。すなわち需要場所毎に、上水使用量を管理することができる。その結果、需要者に上水使用量を通知し節約を促したり、過去の水使用量から次月の上水使用料金を割り出して通知し需要者が支払いの準備をしやすいようにしたりすることができる。
【００２９】
図３に例示した例において、分岐配管１２０に計量器が備えつけられていないことにより、Ａ棟への上水供給量は収集できない。Ａ棟への上水供給量は、記憶部２２が記憶している分岐配管１１０の計量器１０−１の上水供給量から、同じく記憶部２２が記憶している分岐配管１３０の計量器１０−２と分岐配管１４０の計量器１０−３との上水供給量を引くことで求められる。求められたＡ棟への上水供給量は上水供給量管理テーブルに、Ａ棟を特定する識別子と対応付けて記憶される。
【００３０】
このように、上水供給量の収集に人手を介さないため、目視による見誤りやデータ入力の手作業によるデータの誤入力を防ぐことができる。
【００３１】
また、１日と１５日には大量の上水を使用する、土日は休みのため上水の使用なし等の上水使用予定を各需要場所から予め提出させ、サーバ装置２０に保存しておく。サーバ装置２０に記憶された上水供給量と上水使用予定を照らし合わせ、予定に合わない上水供給量である場合に警告を行うこともできる。この場合には、バルブの破損等の障害が発生している可能性があるからである。予定に合わない上水供給量である場合とは、例えば、上水使用予定には需要場所が休みとなっているのに、上水供給量が多い場合等である。この場合には、バルブの破損等の障害が発生している可能性がある。
【００３２】
上水料金テーブルは、上水供給量から上水使用料金を計算するために用いられる。具体的には、上水料金テーブルは、基本料金と上水供給量に応じた従量料金とを記憶している。事業者用や一般用等異なる料金体系がある場合には、複数の上水料金テーブルを有してもよい。
【００３３】
料金計算部２３は、上水供給量管理テーブルに記憶した上水供給量と、上水料金テーブルの基本使用量および従量料金と、に基づいて上水使用料金を計算する上水使用料金計算を行う。上水使用料金計算は、需要場所毎に行う。料金計算部２３は、料金計算部２３にて計算された上水使用料金を記憶部２２の上水量管理テーブルに記憶してもよい。
【００３４】
帳票作成部２４は、上水使用量内訳表、上水使用料金明細等の帳票を作成する。なお、これらは一例である。上水使用量内訳表は、記憶部２２の上水供給量管理テーブルに記憶されている上水供給量を月毎や需要場所毎にまとめた表である。上水使用料金明細表は、料金計算部２３で計算された上水使用料金とその計算元となった基本使用量、従量料金、および上水供給量とからなる表である。帳票作成部２４にて作成された帳票は、記憶部２２に記憶する。なお、帳票をプリンター等にて印字してもよい。
【００３５】
これにより、記憶部２２の上水供給量管理テーブルに記憶されたデータや料金計算部２３にて計算された上水使用料金を帳票とすることができ、その帳票を用いて、需要場所の担当者等に上水使用料金の請求等を行うことができる。
【００３６】
図２は、本発明の好適な実施形態に係る上水供給量管理処理のフローチャートである。
Ｓ１０：計量部１１は、分岐配管の上水供給量を計量する。
Ｓ２０：送信部１２は、ステップＳ１０にて計量した上水供給量と計量器を特定する識別子とをサーバ装置２０へ送信する。
Ｓ３０：受信部２１は、計量器１０から上水供給量と識別子とを受信する。
Ｓ４０：記憶部２２は、ステップＳ３０で受信した上水供給量と識別子とを対応付けて、記憶部２２の上水供給量管理テーブルに記憶する。
Ｓ５０：料金計算部２３は、ステップＳ４０で上水供給量管理テーブルに記憶した上水供給量に基づいて、上水使用料金を計算する。
Ｓ６０：帳票作成部２４は、ステップＳ４０で上水供給量管理テーブルに記憶した上水供給量や、ステップＳ５０で計算された上水使用料金を用いて帳票を作成する。
【符号の説明】
【００３７】
１０    計量器
１１    計量部
１２    送信部
２０    サーバ装置
２１    受信部
２２    記憶部
２３    料金計算部
２４    帳票作成部
【図１】
2010244355.tif 000003
【図２】
2010244355.tif 000004
【図３】
2010244355.tif 000005